(57)【特許請求の範囲】
【請求項１】
ドラム収納凹部５を設けてなる容器本体２と、該本体後部に後部を回動可能に連結して容器本体上面を開閉可能に設けた蓋体３と、上記収納凹部に収納嵌合させるとともに、粉末化粧品を充填させるドラム４とを備えた化粧用コンパクト容器に於いて、上記ドラム４を、皿状のドラム本体13と、該本体外周に嵌着させた枠体15と、上記ドラム本体及び枠体に周縁部を挟持固定させるとともに、前記周縁部よりドラム本体13内縁部に延設した環状のＶ字状壁23内周縁よりドラム本体上部を被覆する天板部24を押し下げ可能に延設させ、且つ柔軟で弾力性に富む材質で形成した弾性被覆部材14とから構成し、上記天板部24に多数の透孔を穿設して形成したメッシュ状部25を設けてなることを特徴とする化粧用コンパクト容器。
【請求項２】
ドラム収納凹部５を設けてなる容器本体２と、該本体後部に後部を回動可能に連結して容器本体上面を開閉可能に設けた蓋体３と、上記収納凹部に収納嵌合させるとともに、粉末化粧品を充填させるドラム４とを備えた化粧用コンパクト容器に於いて、上記ドラム４を、周壁１７外周下部に突条１８を周設した皿状のドラム本体１３と、上記突条１８上部の周壁１７外周に嵌合させた筒部２１上端縁より上記周壁１７上面にフランジ２２を延設するとともに、該フランジ内周縁よりドラム本体１３内縁部に環状のＶ字状壁２３を延設し、且つ、該Ｖ字状壁内周縁よりドラム本体上部を被覆する天板部２４を延設した柔軟で弾力性に富む弾性被覆部材１４と、上記フランジ２２上面に圧接させた内向きフランジ２８を上記筒部外周に圧接嵌合させた垂壁２９上端縁より延設し、該垂壁２９内面下部に突設した係合突条３０を上記突条１８下面に乗り越え係合させて固定してなる枠体１５とから構成し、上記天板部２４に多数の透孔を穿設して形成したメッシュ状部２５を設けてなることを特徴とする化粧用コンパクト容器。
【請求項３】
上記枠体１５の内向きフランジ２８下面内周縁部に、上記Ｖ字状壁２３上の凹環部に垂下させた断面下向き三角状の突条３１を周設してなる請求項２記載の化粧用コンパクト容器。
【請求項４】
上記蓋体３の裏面より、上記天板部２４上面に圧接してメッシュ状部２５を閉塞する押圧板１０を突設してなる請求項２記載の化粧用コンパクト容器。
【発明の詳細な説明】
【０００１】
【発明の属する技術分野】
本発明は化粧用コンパクト容器に関し、詳しくは、粉末化粧品を収納するための化粧用コンパクト容器に関する。
【０００２】
【従来の技術】
化粧用コンパクト容器として粉末化粧品を収納するものがあり、これ等は容器本体に設けた収納凹部に粉末化粧品を充填させるドラムを嵌合させている。またこのドラムは上端開口をメッシュで被覆して化粧品の飛散を防止するとともに、使用時にはメッシュから浮き出た化粧品をパフ表面に付着させることにより化粧品粒子の均一化を図り、更に、一度に多量の化粧品がパフに付着することを防止している。
【０００３】
初期にはこのメッシュを網皿状に形成してドラム内に充填されたパウダーの上面に載置し、更にこの網皿の上にパフを載置しておき、使用時にパフを取り出してメッシュ上面に押し付けて使用していた。しかし網皿は単にパウダーの上に載置されているだけであるため、容器の運搬中の振動等により網皿自体がパウダー中に埋没してしまい、極めて使い難いという不都合が生じていた。
【０００４】
その様な点を考慮して、実開昭５７‐１６１９０８  号公報或いは実公昭６２‐１４９７３号公報に記載された容器が提案されている。
前者は、外周に厚手縁部を有する網目体（メッシュ）を有し、この厚手縁部をドラムと容器本体の間に挟持させた嵌着部と伸縮体を介して結合させ、網目体上方よりパフを押し当てることにより、伸縮体が伸びて網目体が下方へ移動可能に構成したものである。従って、非使用時にはパウダー上方に網目体を位置させておくことができて上記の様な不都合を解消できるものである。
【０００５】
また、後者は、容器本体内に環状の枠体を上下動可能に挿入させ、枠体の周縁部に網皿（メッシュ）を保持するとともに、その周縁下部の複数箇所に下方へ略ハ字状に突出する可撓性突片からなる弾性脚を一体に取り付けたものである。
この容器も同様に上記不都合を解消できるものである。
【０００６】
【発明が解決しようとする課題】
しかしながら、これらの容器にはいまだ種々改良の余地を残している。
例えば、前者に於いては、網目体を押し下げた際にドラム上面に位置する伸縮部分が局部的に伸び、また、網目体の押圧を解除すると伸縮部が縮んで元の状態に戻すため、また、この伸縮部はドラム上端縁の角で直角に曲げられて擦られながら伸ばされるため伸縮部に掛かる負担が大き過ぎて耐久性に劣るという欠点がある。
【０００７】
また、後者は、枠体がハ字状の弾性脚で支持されているため、網皿の押圧により各弾性脚を広げて網皿を押し下げる際に、押圧により掛かる力の方向が各脚の接触面と垂直方向に近い方向へ掛かるため脚が広がり難く、また、ドラムが円形の場合には各脚下端が回動しながら広がらなければならず、いずれにしろ押し下げに円滑さを欠く。
【０００８】
また、網皿の押し下げの際に各弾性脚が絡み合う虞がありこの点に於いても作動の円滑さに欠ける。この場合、各一対の開脚角度を小さいものとすれば絡み合いは防止できるが、反面上記した脚の広がりが極めて行い難くなる。
【０００９】
本発明は上記した従来容器の欠点を解消したもので、従来容器の如くメッシュがパウダー中に埋没するという不都合がなく、しかも、メッシュの押し下げ，復帰操作を円滑に行え、また、耐久性にも優れた容器を提案するものである。
【００１０】
【課題を解決するための手段】
本請求項１発明の容器は上記課題を解決するため、ドラム収納凹部５を設けてなる容器本体２と、該本体後部に後部を回動可能に連結して容器本体上面を開閉可能に設けた蓋体３と、上記収納凹部に収納嵌合させるとともに、粉末化粧品を充填させるドラム４とを備えた化粧用コンパクト容器に於いて、上記ドラム４を、皿状のドラム本体13と、該本体外周に嵌着させた枠体15と、上記ドラム本体及び枠体に周縁部を挟持固定させるとともに、前記周縁部よりドラム本体13内縁部に延設した環状のＶ字状壁23内周縁よりドラム本体上部を被覆する天板部24を押し下げ可能に延設させ、且つ柔軟で弾力性に富む材質で形成した弾性被覆部材14とから構成し、上記天板部24に多数の透孔を穿設して形成したメッシュ状部25を設けてなることを特徴とする化粧用コンパクト容器として構成した。
【００１１】
また、請求項２発明の容器は、ドラム収納凹部５を設けてなる容器本体２と、該本体後部に後部を回動可能に連結して容器本体上面を開閉可能に設けた蓋体３と、上記収納凹部に収納嵌合させるとともに、粉末化粧品を充填させるドラム４とを備えた化粧用コンパクト容器に於いて、上記ドラム４を、周壁１７外周下部に突条１８を周設した皿状のドラム本体１３と、上記突条１８上部の周壁１７外周に嵌合させた筒部２１上端縁より上記周壁１７上面にフランジ２２を延設するとともに、該フランジ内周縁よりドラム本体１３内縁部に環状のＶ字状壁２３を延設し、且つ、該Ｖ字状壁内周縁よりドラム本体上部を被覆する天板部２４を延設した柔軟で弾力性に富む弾性被覆部材１４と、上記フランジ２２上面に圧接させた内向きフランジ２８を上記筒部外周に圧接嵌合させた垂壁２９上端縁より延設し、該垂壁２９内面下部に突設した係合突条３０を上記突条１８下面に乗り越え係合させて固定してなる枠体１５とから構成し、上記天板部２４に多数の透孔を穿設して形成したメッシュ状部２５を設けてなることを特徴とする化粧用コンパクト容器として構成した。
【００１２】
また、請求項３発明の容器は、上記枠体１５の内向きフランジ２８下面内周縁部に、上記Ｖ字状壁２３上の凹環部に垂下させた断面下向き三角状の突条３１を周設してなる請求項２記載の化粧用コンパクト容器として構成した。
【００１３】
また、請求項４発明の容器は、上記蓋体３の裏面より、上記天板部２４上面に圧接してメッシュ状部２５を閉塞する押圧板１０を突設してなる請求項２記載の化粧用コンパクト容器として構成した。
【００１４】
【発明の実施の形態】
以下、本発明の実施例の形態を図面を参照して説明する。
本発明の化粧用コンパクト容器１は、容器本体２と、蓋体３と、ドラム４とを備えている。
【００１５】
容器本体２は、ドラム４を収納させるためのドラム収納凹部５を有しており、図１及び図２に示す容器では、左方に平面視円形のドラム収納凹部５を、右方に平面視四角形のパフ収納凹部６を各々穿設し、それぞれ、ドラム４を嵌着固定させるとともに、パフ７を取り出し可能に収納させている。また、前面中央部に穿設した凹部内に係合突起８を突設するとともに、該凹部内に押し釦９を揺動可能に枢着させている。
【００１６】
また、蓋体３は容器本体後部に後部を回動可能に連結して容器本体上面を開閉可能に設けたもので、その裏面左方にはドラム４の上面を圧接する押圧板１０を突設し、裏面右方には鏡１１を固定している。また、前部中央下面より垂設させたフック１２を閉蓋の際に上記係合突起８と係合可能に構成し、閉塞状態を維持可能に構成するとともに、押し釦９の押し込みによりフック１２を押し上げて係合の解除を可能に構成している。
【００１７】
ドラム４は、ドラム本体と、該本体外周に固定させた枠体と、上記本体及び枠体に周縁部を挟持固定させるとともに、ドラム本体上部を被覆する天板部を弾性押し下げ可能に延設させ、且つ、柔軟で弾力性に富む材質で形成した弾性被覆部材とから構成している。
【００１８】
図示例に於いてドラム本体１３は、底壁１６周縁部より延設した周壁１７の外周下部に突条１８を周設して構成したもので、底壁１６中央部に粉末化粧品充填用の窓孔１９を穿設しており、この窓孔１９は化粧品充填後シール材２０等で閉塞する如く構成している。
【００１９】
また、弾性被覆部材１４は、エラストマー等の柔軟で弾力性に富んだ材質で一体に形成したもので、上記突条１８上方のドラム本体周壁１７外周に嵌合させた筒部２１上端縁より上記周壁１７上面にフランジ２２を延設するとともに、該フランジ２２内周縁よりドラム本体１３内縁部に環状のＶ字状壁２３を延設し、更に、Ｖ字状壁２３内周縁よりドラム本体上部を被覆する天板部２４を延設している。この天板部２４には多数の小孔を穿設することにより形成したメッシュ状部２５を設けている。
【００２０】
図示例では、筒部２１内側面に一体に周設した突条２６を、ドラム本体周壁１７外周に周設した凹溝２７内に嵌合させて筒部２１の嵌合をより確実に構成している。
枠体１５は、弾性被覆部材１４の上記フランジ２２上面に圧接させた内向きフランジ２８を上記筒部２１外周に圧接嵌合させた垂壁２９上端より延設し、該垂壁２９内面下部に突設した係合突条３０を上記突条１８下面に乗り越え係合させて固定している。
【００２１】
尚、上記ドラム本体１３及び枠体１５は弾性被覆部材１４と比較して剛性を有する合成樹脂等により形成する。
【００２２】
従って、ドラム４の組み立ての際は、ドラム本体１３に弾性被覆部材１４を嵌合させ、次いで上方から枠体１５を押し下げ嵌合させれば簡単に組み付けすることができ、しかも組み付けられた本体及び枠体は、弾性被覆部材１４の弾力性によりしっかりと確実に固定される。
【００２３】
また、内向きフランジ２８の下面内周縁からは、上記Ｖ字状壁２３上の凹環部に垂下させた断面が下向き三角状をなす突条３１を周設している。この突条３１の存在で、Ｖ字状壁２３部分の反転等の不都合な弾性変形を防止している。
また、上記押圧板１０は、蓋体３を閉じた際に、その下面が上記天板部２４上面に密接してメッシュ状部２５を閉塞する如く構成している。
【００２４】
上記の如く構成した容器１は、例えば、開蓋後パフ７をメッシュ状部２５上方より押圧すると、収納粉末化粧品の残量に応じて、Ｖ字状壁２３の内側傾斜上昇壁部分が弾性変形してメッシュ状部２５が下降し、メッシュ状部を介してパフ７に化粧品が付着する。この際、Ｖ字状壁２３はその頂点部分を略中心として拡開状に屈曲変形し、また、天板部２４も若干の弾性変形を生ずる。また、パフの押圧を解除するとＶ字状壁の弾性復元力でメッシュ状部は元の状態に戻る。
【００２５】
【発明の効果】
以上説明した如く本発明容器は、そのドラムが、ドラム本体及び枠体に周縁部を挟持固定させるとともに、ドラム本体上方を被覆する天板部を弾性押し下げ可能に延設し、且つ、天板部に多数の透孔を穿設してなるメッシュ状部を形成した弾性被覆部材を有するため、この弾性被覆部材の弾性変形によりメッシュ状部を簡単に押し下げることができ、収納粉末化粧品の量が減少しても最後まで略残らず使用することができるとともに、被覆部材が弾性変形可能であるため、従来の局部的に伸縮する部分を有するものと比較して度重なる使用にあっても損傷する等の不都合を生じ難く、耐久性に優れたものである。また、その押し下げ操作も円滑に行える効果を併せ持つ。
【００２６】
また、ドラム本体周壁上面に延設した被覆部材のフランジ上面に圧接させた内向きフランジを、ドラム本体周壁外周に嵌合させた被覆部材の筒部外周に圧接嵌合させた垂壁上端縁より延設し、垂壁内面下部に突設した係合突条を、ドラム周壁外周下部に周設した突条下面に乗り越え係合させて固定した枠体を設けたものにあっては、ドラムの組み付けは極めて容易であり、しかも一旦組み付けたドラムは被覆部材の弾力性によりしっかりと密に固定されて外れる等の不都合を生じる虞はない。
【００２７】
また、枠体の内向きフランジ下面内周縁部に、Ｖ字状壁上の凹環部に垂下させた断面下向き三角状の突条を周設したものにあっては、Ｖ字状壁の反転等の不都合な弾性変形を防止して、より円滑な天板部の押し下げを行えるものである。
【００２８】
また、蓋体の裏面より、天板部上面に圧接してメッシュ状部を閉塞する押圧板を突設したものにあっては、非使用時の持ち運び等の際に容器に振動等が生じても化粧品がメッシュ状部上方に漏出する等の不都合を防止することができる。
【図面の簡単な説明】
【図１】本発明の一実施例を示す開蓋状態の斜視図である。
【図２】同実施例の要部縦断面図である。
【符号の説明】
２…容器本体，３…蓋体，４…ドラム，５…ドラム収納凹部，１０…押圧板，
１３…ドラム本体，１４…弾性被覆部材，１５…枠体，１６…底壁，１７…周壁，
１８…突条，２３…Ｖ字状壁，２４…天板部，２５…メッシュ状部，
２８…内向きフランジ，２９…垂壁，３０…係合突条，３１…突条
【図１】
0003616435.tif 000002
【図２】
0003616435.tif 000003